【手続補正書】
【提出日】令和2年3月30日(2020.3.30)
【手続補正１】
【補正対象書類名】明細書
【補正対象項目名】００４３
【補正方法】変更
【補正の内容】
【００４３】
【図１】図１は、テーブルトップを取り付けて組み立てた状態での、第1の実施形態による折り畳み式テーブルの斜視図である。
【図２ａ】図２ａは、図1の折り畳み式テーブルの持ちあげたテーブルトップの斜視図である。
【図２ｂ】図２ｂは、図１の折り畳み式テーブルのフレームの斜視図である。
【図３ａ】図３ａは、図２ａのテーブルトップの、互いから分離した２つのテーブル要素の詳細図である。
【図３ｂ】図３ｂは、３つのテーブル要素を組み立てた状態で示し、図２ａのテーブルトップの前方領域の部分図である。
【図４】図４は、テーブル要素の側面の凹所を示す、図２ａのＺ部分の詳細図である。
【図５】図５は、図２ｂのＹ部分の詳細図である。
【図６ａ】図６ａは、図３ａの２つのテーブル要素の差し込み接続の詳細を、斜視図で表したものである。
【図６ｂ】図６ｂは、図３ａの２つのテーブル要素の差し込み接続の詳細を、断面図で表したものである。
【図６ｃ】図６ｃは、図３ａの２つのテーブル要素の差し込み接続の詳細を、斜視図で表したものである。
【図６ｄ】図６ｄは、図３ａの２つのテーブル要素の差し込み接続の詳細を、断面図で表したものである。
【図７】図７は、図１の折り畳み式テーブルを斜め下からみた図であり、ここでは、テーブル要素の接続コードは示されておらず、後方脚部は完全には示されていない。
【図８ａ】図８ａは、長手方向ロッドを備えた図７のＸ部分の詳細図である。
【図８ｂ】図８ｂは、図７のＸ部分の詳細図を拡大したものであり、長手方向ロッドを備えていない。
【図９ａ】図９ａは、接続コードを備えた図２ａのテーブルトップの下面図である。
【図９ｂ】図９ｂは、図９ａのＱ部分の詳細図である。
【図９ｃ】図９ｃは、図９ａのＷ部分の詳細図である。
【図１０】図１０は、ゴムロープが挿入された、テーブルトップのない図２ｂのフレームの分解図であり、ここでは、個々の管状セグメント間のコードの走行は概略的に示されている。
【図１１】図１１は、テーブルトップのない図２ｂのフレームの分解図である。
【図１２】図１２は、可能な限り小さくまとめた状態での図1の折り畳み式テーブルの斜視図である。
【図１３】図１３は、図１のテーブルの第１の接続要素の正面図を概略的に示したものである。
【図１４】図１４は、第１の好ましい実施形態による連結要素の概略図を示し、図１４ａ、図１４ｂはそれぞれ斜視図を示し、図１４ｃは側面図を示し、図１４ｄは「正面」、ないしは長手軸Ｌ５４／Ｌ５５に沿った図であり、図１４ｅは上から見た図である。
【手続補正２】
【補正対象書類名】明細書
【補正対象項目名】００４６
【補正方法】変更
【補正の内容】
【００４６】
図１３の正面から見た拡大概略図に示される第１の前方接続要素１２には、さらに、２つの前方アーム６，７が、後方接続要素１３には２つの後方アーム８，９が固定され、アーム６，７，８，９はそれぞれ、その下側端部６ｂ，７ｂ，８ｂ，９ｂによって、それぞれの接続要素１２，１３の２つの上側管スリーブ２８，２９に挿入される。アーム６，７，８，９は、それぞれ、土台１０から離れるように、ないしは上を向いている自由端部６ｂ，７ｂ，８ｂ，９ｂを備える。アーム６，７，８，９の上側自由端部６ｂ，７ｂ，８ｂ，９ｂには、それぞれ、各アーム６，７，８，９を長手方向ロッド５４，５５に接続する連結要素５０，５１，５２，５３が固定されている。第１の左側長手方向ロッド５４は、前方左側アーム６を後方左側アーム８に接続し、第２の右側長手方向ロッド５５は、前方右側アーム７を後方右側アーム９に接続する。この場合、曲げられて（winklich）形成される連結要素５０，５１，５２，５３のそれぞれは、第１のスリーブ部分５０ａ，５１ａ，５２ａ，５３ａがそれぞれの長手方向ロッド５４，５５の端部５４ｃ，５４ｄ，５５ｃ，５５ｄを受け入れるように形成され、且つ、第１のスリーブ部分５０ａ，５１ａ，５２ａ，５３ａに曲げられて配置される第２のスリーブ部分５０ｂ，５１ｂ，５２ｂ，５３ｂが、前記連結要素５０，５１，５２，５３に固定される各アーム６，７，８，９の上側端部６ｂ，７ｂ，８ｂ，９ｂを受け入れるように形成されるように設計される。この場合、図２ｂのＹ部分を示す図５の詳細図によれば、長手方向ロッド５４の長手軸Ｌ５４に沿う軸方向部分の第１のスリーブ部分５０ａは、いわば片側が閉じられた中空円筒として形成されており、軸方向部分に、円周方向Ｕ５４に隙間を有し、すなわち、上向きに開いており、その結果、長手方向ロッド５４の長手軸Ｌ５４に対し横に、ほぼ半円形の断面を有する。結果としてラッチ式接続が生まれるように、この半円形をより閉じた状態で形成することもできる。図５に示される、２つのスリーブ部分５０ａ，５０ｂの間の角度α３は９０度未満である。
【手続補正３】
【補正対象書類名】明細書
【補正対象項目名】００４８
【補正方法】変更
【補正の内容】
【００４８】
図５の連結要素５０のさらに好ましい例示の実施形態（しかしながら、他の３つの連結要素５１，５２，５３にも代表して適用される）は、第１のスリーブ部分５０ａの突出部５７上に、最も外側のテーブル要素６０ａ，６０ｂのそれぞれの凹部６６ａ，６６ｂが係合可能な円周状の溝５０ｃを有する。こうして、最も外側のテーブル要素６０ａ，６０ｂは、フレーム１ａ上にさらに良好に固定することができ、長手方向ロッド５４，５５の長手軸Ｌ５４，Ｌ５５に沿う方向においてそれらの位置に固定される。言い換えれば、図１４の好ましい例示の実施形態では、突出部５７は、いわば、より小さい直径を有する内側部分５０ｃと、より大きな直径を有する外側部分５０ｄとを備え、このより大きな直径を有する外側部分は、突出部５７の前方又は後方の閉鎖を形成する。内側部分５０ｃは、結果的に、円周状の溝ないしは環状溝を形成する。この場合、内側部分５０ｃの直径ｄ５７は、最前部のテーブル要素６０ａないしは最後部のテーブル要素６０ｂの側面６２にある凹部６６ａ，６６ｂの直径よりわずかに小さいだけである。第２の側面６２の下縁６２ｃ上の幅ｂ６６は、環状溝ないしは内側部分５０ｃの領域の突出部５７の外径ｄ５７よりもわずかに小さく、その結果、凹部６６ａないしは６６ｂは、最前部のテーブル要素６０ａを各前方連結要素５０，５２上にクランプ留め／クリップ留めするために、少し開け広げなければならない。さらに、この好ましい例示の実施形態では、第１のスリーブ部分５０ａの軸方向部分の、第１のスリーブ部分５０ａの円周方向Ｕ５４において上向きに開いている間隙は、図５のものよりも小さく、その結果、それぞれの長手方向ロッド５４，５５に対するラッチ式接続が生まれる。図１４の例示の実施形態では、第１のスリーブ部分５０ａの上向きに開いた軸方向部分と第１のスリーブ部分５０ａの閉じた軸方向部分との間に、円周Ｕ５４の一部にわたって延びる溝５０ｅが配置され、その結果、第１のスリーブ部分５０ａの上向きに開いた軸方向部分と閉じた軸方向部分は互いから間隔が空いており、いわば２つの「クランプジョー」５０ｆ，５０ｇが形成される。これは、材料の節約及びその結果としての軽量化と並んで、さらに、長手方向ロッド５４又は５５がクランプ留めされるときに、上向きに開いた円周部分の２つのクランプジョーの柔軟性を高めるのに役立つ。
【手続補正４】
【補正対象書類名】明細書
【補正対象項目名】００５１
【補正方法】変更
【補正の内容】
【００５１】
図１３によれば、各接続要素１２，１３には、６つの管状スリーブ２６，２７，２８，２９，３４，３５が固定されており、これらは、それぞれの脚部２，３あるいは４，５、アーム６，７あるいは８，９、及び２つの接続ロッド１４，１５の受け入れに役立つ。前から見た前方接続要素１２及び後から見た後方接続要素１３は、左側前方脚部２あるいは右側後方脚部５を受け入れるための左下管状スリーブ２６と、右側前方脚部３あるいは左側後方脚部４を受け入れるための右下管状スリーブ２７とを備える。同様に、前から見た前方接続要素１２及び後から見た後方接続要素１３は、左側前方アーム６あるいは右側後方アーム９を受け入れるための左上管状スリーブ２８と、右側前方アーム７あるいは左側後方アーム８を受け入れるための右上管状スリーブ２９とを備える。各接続要素において、それぞれの２本の脚部２，３あるいは４，５及びそれぞれのアーム６，７あるいは８，９を受け入れるための４つの管状スリーブ２６，２７，２８，２９は、実質的にプレート２０によって相互接続され、このプレート２０は、同時に、それぞれの２つの下側管状スリーブ２６，２７の間の、ないしはそれぞれの上側管状スリーブ２８，２９の間の補強リブ３８，３９として機能する。
【手続補正５】
【補正対象書類名】明細書
【補正対象項目名】００５５
【補正方法】変更
【補正の内容】
【００５５】
コードの走行を示す図１０の分解図において、それぞれ２つの脚部２，３あるいは４，５、及び、それぞれ２つのアーム６，７あるいは８，９が、それぞれ弾性コード１６，１７，１８，１９によって相互接続されていることがわかる。図１０の例示の実施形態では、テーブル１は、このような弾性コードを５本１６，１７，１８，１９，５９備えている。この場合、脚２，３，４，５又はアーム６，７，８，９を通って延びる弾性コード１６，１７，１８，１９のそれぞれは、接続要素１２，１３にて向きを変えて、そこで、同じ接続要素１２，１３に旋回可能に取り付けられている、テーブル１の周方向Ｕ１に隣接する脚部２，３，４，５のそれぞれへ、ないしは、テーブル１の周方向Ｕ１に隣接するアーム６，７，８，９のそれぞれへと入る。この場合、各弾性コード１６，１７，１８，１９は、２つの端部を備えている。図１１に示すように、前記端部のそれぞれは、管栓４２に固定されている。この場合、管栓４２は、空洞ないしは凹部を有する円筒部分を備え、その末端に面する側に底部が設けられ、この底部は円周状のフランジを有し、このフランジが、それぞれの脚部又はアームの端部に当たり、それぞれの脚部又はアームの管状部分を閉鎖する。弾性コード１６，１７，１８，１９は、その両端に結び目を備えており、この結び目は、例えば、組立時に管栓４２の凹部に挿入され、凹部の狭窄部で止まり、このとき、弾性コードは、狭窄する凹部を通ってそれぞれの管状部分に入ることができる。
【手続補正６】
【補正対象書類名】明細書
【補正対象項目名】００５７
【補正方法】変更
【補正の内容】
【００５７】
図１０又は図１１の分解図に見られるように、弾性コード１６は、その第１の端部を左側前方脚部２の管栓４２に備えるその固定点から、左側前方脚部２の管状部分を通り抜ける。左側脚部２は、前側接続要素１２において、左下管状スリーブ２６の下側開口２６ａに入り（図１３に詳細に示す）、弾性コード１６は、上側開口２６ｂを通って前側接続要素１２を出る。ここで向きを変えて、右下管状スリーブ２７の上側開口２７ｂを通って右側前方脚部３の管状部分に入る。その後、弾性コード１６は、右側前方脚部３の管栓４２にその第２の端部で再び固定されるまで、右側前方脚部３を通り抜ける。
【手続補正７】
【補正対象書類名】明細書
【補正対象項目名】００５８
【補正方法】変更
【補正の内容】
【００５８】
管栓４２は、アーム６，７，８，９に閉鎖部、ないしはアーム６，７，８，９の上端を形成する。各脚部２，３，４，５には、管栓４２によって閉じられた各脚部２，３，４，５の端部を覆って、さらに足部４４が取り付けられる。この場合、脚部２，３，４，５の端部は、足部の止まり穴４７に収容され、例えば接着固定又は圧着等により、その中に固定される。図１１に示す足部４４は、加えて、土台１０上でテーブル１を支持するための先端部４６を有する。足部４４は、さらに、複数の半径方向ウィング４５から作られる冠状部（Kranz）を有し、これらウィングは、互いから一定の間隔をあけて半径方向外側に延び、土台１０に接触する脚部４４の表面を拡大する。これは、土台が柔らかい場合、例えば先端部４６が地面に沈みこむ森林床などの場合に特に有用である。足部の形とデザインは異なるように構成することもでき、地面の状態に応じて交換可能であってよい。
【手続補正８】
【補正対象書類名】明細書
【補正対象項目名】００６４
【補正方法】変更
【補正の内容】
【００６４】
本実施形態において、テーブル要素６０，６０ａ，６０ｂは、長手軸Ｌ６０に沿って、従って接続ロッドＬ１４の長手軸Ｌ１４に対して、あるいは長手方向ロッドＬ５４の長手軸に対して横の方向に測定した長さｌ６０が４００ｍｍである。本実施形態では、テーブル要素６０の幅ｂ６０、この場合、第３の、あるいは第４の側面６３，６４に沿って、テーブル要素の長手軸Ｌ６０に対して横に測定した幅は約７０ｍｍである。テーブル要素の厚みｈ６０あるいは側面６１，６２，６３，６４のそれぞれの高さは、ここでは約１３ｍｍである。
【手続補正９】
【補正対象書類名】明細書
【補正対象項目名】００６９
【補正方法】変更
【補正の内容】
【００６９】
弾性コード７７は、各テーブル要素６０を離れる際に、第１の側面６１の第１のスペーサ６８の通過開口７６を通り抜け、空間６９を横切って、第１の隣接するテーブル要素６０の第２の側面６２の第１の穴７４を通って、その後、ベース面７０の下面に沿って、そして再び第１の隣接するテーブル要素６０の第１のスペーサの通過開口７６を通って、といった具合に案内される。最前部のテーブル要素６０ａへの移行では、弾性接続コード７７は、最前部のテーブル要素６０ａに隣接して配置されるテーブル要素６０の第１の側面６１の第１のスペーサ６８の通路開口７６から出て、空間６９を通り抜け、第２のスペーサ６７の通路開口７５を通って最前部のテーブル要素６０ａの第１の側面６１の内側表面６１ａに入る。つまり、ここでは、前方外面でスペーサがテーブルプレートを越えて突出することを避けるために、最前部のテーブル要素６０ａは１８０度回転されるので、２つの第１の側面６１が互いに対向して配置される。従って、反対向きの最前部のテーブル要素６０ａを除いて、同一に形成されるテーブル要素６０，６０ｂの全ては、この同じ向きを有する。最前部のテーブル要素６０ａを１８０度回転させることにより、それぞれ、第１のスペーサ６７が、第２のスペーサ６８と対向して位置するようになる。第１のスペーサ６７は、第２のスペーサ６８の外径よりも小さい外径ｄ６７を有しており、この場合、第２のスペーサ６８の内径ｄ６８よりわずかだけ小さく、これにより、第１のスペーサ６７と第２のスペーサ６８との間の取り外し可能な又は緩いともいえる（gar lose）差し込み接続が可能となる。前方の２つのテーブル要素６０，６０ａを弾性的に締め付ける、あるいは、これらを並置する場合、第１のスペーサ６７の外径ｄ６７がより小さいために、最前部のテーブル要素６０の隣の隣接するテーブル要素６０の第１のスペーサ６７を、最前部のテーブル要素６０ａの第２のスペーサ６８に挿入することができる。これにより、隣接する空間６９において、最前部のテーブル要素６０ａと隣の隣接するテーブル要素６０までの距離が、第１のスペーサ６７の長さｌ６７と第２のスペーサ６８の長さｌ６８の合計から２倍になってしまう（２つの長さｌ６７，ｌ６８が同じであり、本例示の実施形態においては約４ｍｍである）のを防ぐ。その結果、最前部のテーブル要素６０ａと最後部のテーブル要素６０ｂとの間に配置されるテーブル要素６０は互いに当接するものの、最前部のテーブル要素６０ａと隣の隣接するテーブル要素６０との間には、それぞれのスペーサ６７，６８による差し込み接続が生成される。これに代えて、最前部のテーブル要素６０ａの代わりに、最後部のテーブル要素６０ｂを回転させて配置することもでき、この場合、差し込み接続は、最後部のテーブル要素６０ｂのスペーサ６７，６８と、この最後部のテーブル要素６０ｂに隣接するテーブル要素６０のスペーサ６７，６８との間に存在することになる。
【手続補正１０】
【補正対象書類名】図面
【補正対象項目名】図１１
【補正方法】変更
【補正の内容】
【図１１】
2019520861.tif 000001